(57)【要約】【課題】乾燥用の空気が被洗濯物に接触せずに迂回して吸込口に吸い込まれてしまうのを防止し、且つ、被洗濯物の乾燥効率を向上することができる洗濯乾燥機を提供する。【解決手段】外槽ドラム２と内部に被洗濯物が収容される収容室１０を構成する内槽ドラム５とを設ける。内槽ドラム５に所定の開口率で形成され、洗濯運転においては水が流出すると共に、乾燥運転においては乾燥用の空気が流通する複数の透孔７と、外槽ドラム２の一端部に形成され、乾燥運転において加熱手段（放熱器２２）により加熱された乾燥用の空気を内槽ドラム５内に吐出する吐出口５４と、外槽ドラム２の他端部に形成され、内槽ドラム５内に吐出された乾燥用の空気を吸い込む吸込口５２とを備える。吸込口５２に対応する部分における内槽ドラム５の透孔７（透孔７Ａ）の開口率を、他の部分よりも高くした。【選択図】図１
2009142421.tif 000002
【特許請求の範囲】
【請求項１】
被洗濯物の洗濯運転と該洗濯運転終了後の乾燥運転とを実行する洗濯乾燥機において、
外槽ドラムと、
該外槽ドラム内で回転すると共に、内部に前記被洗濯物が収容される収容室を構成する内槽ドラムと、
該内槽ドラムに所定の開口率で形成され、前記洗濯運転においては水が流出すると共に、前記乾燥運転においては乾燥用の空気が流通する複数の透孔と、
前記外槽ドラムの一端部に形成され、前記乾燥運転において加熱手段により加熱された乾燥用の空気を前記内槽ドラム内に吐出する吐出口と、
前記外槽ドラムの他端部に形成され、前記内槽ドラム内に吐出された乾燥用の空気を吸い込む吸込口とを備え、
該吸込口に対応する部分における前記内槽ドラムの透孔の開口率を、他の部分よりも高くしたことを特徴とする洗濯乾燥機。
【請求項２】
被洗濯物の洗濯運転と該洗濯運転終了後の乾燥運転とを実行する洗濯乾燥機において、
外槽ドラムと、
該外槽ドラム内で回転すると共に、内部に前記被洗濯物が収容される収容室を構成する内槽ドラムと、
該内槽ドラムに所定の開口率で形成され、前記洗濯運転においては水が流出すると共に、前記乾燥運転においては乾燥用の空気が流通する複数の透孔と、
前記外槽ドラムの一端部に形成され、前記乾燥運転において加熱手段により加熱された乾燥用の空気を前記内槽ドラム内に吐出する吐出口と、
前記外槽ドラムの他端部に形成され、前記内槽ドラム内に吐出された乾燥用の空気を吸い込む吸込口とを備え、
該吸込口が位置する前記両ドラム間の領域を、他の両ドラム間の領域から区画するためのラビリンスシールを設けたことを特徴とする洗濯乾燥機。
【請求項３】
前記吸込口に対応する部分における前記内槽ドラムの透孔の開口率を、他の部分よりも高くしたことを特徴とする請求項２に記載の洗濯乾燥機。
【請求項４】
前記洗濯運転時に水を排出する排水経路を、前記ラビリンスシールにより区画される前記両ドラム間の領域の双方に連通して構成したことを特徴とする請求項２又は請求項３に記載の洗濯乾燥機。
【請求項５】
少なくとも圧縮機、放熱器、減圧装置及び蒸発器が順次環状に配管接続されて成る冷媒回路を備え、
前記放熱器により前記加熱手段を構成し、前記乾燥運転において前記放熱器と熱交換した乾燥用の空気を前記収容室内に吐出すると共に、該収容室内を経て前記吸込口から吸い込まれた空気を前記蒸発器と熱交換させることを特徴とする請求項１乃至請求項４の何れかに記載の洗濯乾燥機。
【発明の詳細な説明】
【技術分野】
【０００１】
本発明は、被洗濯物を収容する収容室を備え、この収容室内において被洗濯物の洗濯と、洗濯終了後乾燥運転を実行する洗濯乾燥機に関するものである。
【背景技術】
【０００２】
従来の洗濯乾燥機は、例えば衣類（被洗濯物）の乾燥運転では、圧縮機より吐出された高温の冷媒が放熱器に流入し、そこで放熱器と熱交換して加熱された温風は送風機で回転槽内に送風される。そして、送風機で回転槽内に送風された温風は、駆動モータで回転され、回転槽内を上下に撹拌する衣類の隙間を通るときに水分を蒸発させて衣類から水分を奪うことにより、衣類を乾燥するものであった。そして、水分を奪って湿った空気は水槽（内槽ドラム）の側面に開けられた小径孔（透孔）外部へ排出され、吸熱器を通過する際除湿されて乾いた空気だけが再び放熱器で加熱され温風となって循環していた（特許文献１参照）。
【０００３】
また、圧縮機で圧縮高温化された冷媒が凝縮器にて熱交換されて空気が加熱され、加熱された高温空気は、ファン装置により温風として水槽の背面側の給気口から内部に吹出される。水槽内部に吹出された温風は、ドラム（内槽ドラム）の小孔（透孔）群を経てドラム内部に供給されることにより洗濯物（被洗濯物）と接触して水分を奪い乾燥が行われる。洗濯物を乾燥した後多くの湿気を含んだ空気は、排気口から出て下方の蒸発器を通過するとき冷却されることにより空気中の湿気が凝縮して結露し除湿される。そして、除湿されて乾燥した空気は、再び凝縮器にて熱交換されて空気が加熱され温風となって循環していた（特許文献２参照）。
【０００４】
また、ヒートポンプの凝縮器にて加熱された空気は、送風機により温風として水槽内のドラム（内槽ドラム）の内部に供給される。この温風が回転するドラム内の洗濯物（被洗濯物）と接触して水分を奪い、洗濯物の乾燥が行われる。洗濯物を乾燥して多くの湿気を含んだ温風（排気風）は、ドラムに設けられた小孔（透孔）から出て、吸込口から吸引され蒸発器へ移送される。そこで、温風は冷却除湿され、再度凝縮器で加熱されて循環していた（特許文献３参照）。
【０００５】
一方、洗濯乾燥機は、図１２に示すように水槽としての外槽ドラム１０２の内側に所定の間隔を存して洗濯槽と脱水槽を兼ねる内槽ドラム１０５が配設され、この内槽ドラム１０５の周囲に、被洗濯物の脱水時に水を排水し、且つ、乾燥時の温風を排出するため複数の透孔１０７が形成されている。そして、被洗濯物を乾燥する際、内槽ドラム１０５内に吐出された温風は、当該回転する内槽ドラム１０５の被洗濯物と接触して水分を奪うことにより、被洗濯物の乾燥が行われる。しかし、図中実践矢印に示すように、吐出口１５４から吐出された一部の温風は分岐して、被洗濯物と接触せずに内槽ドラム１０５と外槽ドラム１０２との間の隙間１３０から吸込口１５２に吸い込まれてしまい、これによって温風は被洗濯物に接触せずに迂回してしまう不都合があった。また、内槽ドラム１０５の側面に形成された透孔１０７から隙間１３０を経て吸込口１５２に吸い込まれる温風もあった。
【０００６】
そこで、吐出口１５４から吐出された、被洗濯物の乾燥用の空気が、被洗濯物と接触せずに内槽ドラム１０５と外槽ドラム１０２との間から吸込口１５２に吸い込まれてしまうのを防止する構造もある。この構造は、図１３に示すように、例えばゴム製の凸シール材と凹シール材とを対向して組み合わせることにより、内槽ドラム１０５の回転を確保しながら空気の流通を遮断するラビリンスシール１４０を、内槽ドラム１０５と外槽ドラム１０２との間に設けている。この場合、吐出口１５４から吐出された温風が、内槽ドラム１０５と外槽ドラム１０２との間の隙間１３０に入り込んでしまうのを阻止する（図中点線）ことはできるが、まだ被洗濯物の乾燥用空気の一部が内槽ドラム１０５の側面に形成された透孔１０７から外槽ドラム１０２と内槽ドラム１０５との間に流出して、吸込口１５２から吸い込まれていた（図中実践矢印）。
【特許文献１】特開２００６−２０４６５６号公報
【特許文献２】特開２００７−２３６４４９号公報
【特許文献３】特開２００７−２４４４８７号公報
【発明の開示】
【発明が解決しようとする課題】
【０００７】
係る従来の洗濯乾燥機は、内槽ドラムの側面には全て同一の孔径で透孔が開けられると共に、単位面積に対する透孔の開口率は内槽ドラムの取出口から底部まで均一であった。該回転する内槽ドラム内では、被洗濯物が上下に撹拌されるため透孔は塞がれず、温風は内槽ドラムに形成された全ての透孔から略均一に出ていた。この場合、乾燥用の空気は被洗濯物に触れずに透孔から出て吸込口に吸い込まれてしまうため、被洗濯物の乾燥効率が低下していた。このため、被洗濯物の乾燥時間が長時間となって乾燥用エネルギーが増大し、乾燥コストが高騰してしまうという問題があった。
【０００８】
本発明は、係る従来技術の課題を解決するために成されたものであり、乾燥用の空気が被洗濯物に接触せずに迂回して吸込口に吸い込まれてしまうのを防止し、且つ、被洗濯物の乾燥効率を向上することができる洗濯乾燥機を提供することを目的とする。
【課題を解決するための手段】
【０００９】
即ち、本発明の洗濯乾燥機は、被洗濯物の洗濯運転と該洗濯運転終了後の乾燥運転とを実行するものであって、外槽ドラムと、該外槽ドラム内で回転すると共に、内部に被洗濯物が収容される収容室を構成する内槽ドラムと、該内槽ドラムに所定の開口率で形成され、洗濯運転においては水が流出すると共に、乾燥運転においては乾燥用の空気が流通する複数の透孔と、外槽ドラムの一端部に形成され、乾燥運転において加熱手段により加熱された乾燥用の空気を内槽ドラム内に吐出する吐出口と、外槽ドラムの他端部に形成され、内槽ドラム内に吐出された乾燥用の空気を吸い込む吸込口とを備え、該吸込口に対応する部分における内槽ドラムの透孔の開口率を、他の部分よりも高くしたことを特徴とする。
【００１０】
また、請求項２の発明の洗濯乾燥機は、被洗濯物の洗濯運転と該洗濯運転終了後の乾燥運転とを実行するものであって、外槽ドラムと、該外槽ドラム内で回転すると共に、内部に被洗濯物が収容される収容室を構成する内槽ドラムと、該内槽ドラムに所定の開口率で形成され、洗濯運転においては水が流出すると共に、乾燥運転においては乾燥用の空気が流通する複数の透孔と、外槽ドラムの一端部に形成され、乾燥運転において加熱手段により加熱された乾燥用の空気を内槽ドラム内に吐出する吐出口と、外槽ドラムの他端部に形成され、内槽ドラム内に吐出された乾燥用の空気を吸い込む吸込口とを備え、該吸込口が位置する両ドラム間の領域を、他の両ドラム間の領域から区画するためのラビリンスシールを設けたことを特徴とする。
【００１１】
また、請求項３の発明の洗濯乾燥機は、請求項２において、吸込口に対応する部分における内槽ドラムの透孔の開口率を、他の部分よりも高くしたことを特徴とする。
【００１２】
また、請求項４の発明の洗濯乾燥機は、請求項２又は請求項３において、洗濯運転時に水を排出する排水経路を、ラビリンスシールにより区画される両ドラム間の領域の双方に連通して構成したことを特徴とする。
【００１３】
また、請求項５の発明の洗濯乾燥機は、請求項１乃至請求項４の何れかにおいて、少なくとも圧縮機、放熱器、減圧装置及び蒸発器が順次環状に配管接続されて成る冷媒回路を備え、放熱器により加熱手段を構成し、乾燥運転において放熱器と熱交換した乾燥用の空気を収容室内に吐出すると共に、該収容室内を経て吸込口から吸い込まれた空気を蒸発器と熱交換させることを特徴とする。
【発明の効果】
【００１４】
請求項１の発明によれば、被洗濯物の洗濯運転と該洗濯運転終了後の乾燥運転とを実行する洗濯乾燥機において、外槽ドラムと、この外槽ドラム内で回転すると共に、内部に被洗濯物が収容される収容室を構成する内槽ドラムと、この内槽ドラムに所定の開口率で形成され、洗濯運転においては水が流出すると共に、乾燥運転においては乾燥用の空気が流通する複数の透孔と、外槽ドラムの一端部に形成され、乾燥運転において加熱手段により加熱された乾燥用の空気を内槽ドラム内に吐出する吐出口と、外槽ドラムの他端部に形成され、内槽ドラム内に吐出された乾燥用の空気を吸い込む吸込口とを備え、この吸込口に対応する部分における内槽ドラムの透孔の開口率を、他の部分よりも高くしたので、吐出口から内槽ドラム内に吐出された乾燥用の空気は、他の部分の透孔に比べて、吸込口に対応する部分に形成された透孔から流出し易くなる。
【００１５】
これにより、吐出口から吐出されたものの、被洗濯物を迂回して当該被洗濯物の上方、或いは、両ドラム間の領域を通過して行き、そのまま吸込口から吸い込まれてしまう、乾燥用の空気の量を削減し、収容室内において被洗濯物と乾燥用の空気とを効果的に接触させ、被洗濯物から効率よく水分を蒸発させることができるようになり、被洗濯物の乾燥を促進して、乾燥時間の短縮を図ることが可能となるものである。
【００１６】
請求項２の発明によれば、被洗濯物の洗濯運転と該洗濯運転終了後の乾燥運転とを実行する洗濯乾燥機において、外槽ドラムと、この外槽ドラム内で回転すると共に、内部に被洗濯物が収容される収容室を構成する内槽ドラムと、この内槽ドラムに所定の開口率で形成され、洗濯運転においては水が流出すると共に、乾燥運転においては乾燥用の空気が流通する複数の透孔と、外槽ドラムの一端部に形成され、乾燥運転において加熱手段により加熱された乾燥用の空気を内槽ドラム内に吐出する吐出口と、外槽ドラムの他端部に形成され、内槽ドラム内に吐出された乾燥用の空気を吸い込む吸込口とを備え、この吸込口が位置する両ドラム間の領域を、他の両ドラム間の領域から区画するためのラビリンスシールを設けたので、吐出口から内槽ドラム内に吐出された乾燥用の空気は、そのほとんどが吸込口が位置する両ドラム間の領域に対応する部分の透孔から流出し、吸込口に吸い込まれるようになる。
【００１７】
これにより、同様に吐出口から吐出されたものの、被洗濯物を迂回して当該被洗濯物の上方、或いは、両ドラム間の領域を通過して行き、そのまま吸込口から吸い込まれてしまう、乾燥用の空気の量を削減し、収容室内において被洗濯物と乾燥用の空気とを効果的に接触させ、被洗濯物から効率よく水分を蒸発させることができるようになり、被洗濯物の乾燥を促進して、乾燥時間の短縮を図ることが可能となるものである。
【００１８】
請求項３の発明によれば、上記に加えて吸込口に対応する部分における内槽ドラムの透孔の開口率を、他の部分よりも高くしたので、内槽ドラム内に吐出された乾燥用の空気は、他の部分の透孔に比べて、吸込口に対応する部分に形成された透孔から流出し易くなり、被洗濯物を迂回して行ってしまう乾燥用の空気をより一層削減し、より効率的な乾燥運転を実現することができるようになる。
【００１９】
請求項４の発明によれば、請求項２又は請求項３の発明に加えて洗濯運転時に水を排出する排水経路を、ラビリンスシールにより区画される、両ドラム間の領域の双方に連通して構成したので、洗濯運転時にはラビリンスシールにより区画される、両ドラム間の領域の双方から支障なく排水を行うことができるようになる。
【００２０】
請求項５の発明によれば、上記各発明に加えて少なくとも圧縮機、放熱器、減圧装置及び蒸発器が順次環状に配管接続されて成る冷媒回路を備え、放熱器により加熱手段を構成し、乾燥運転において放熱器と熱交換した乾燥用の空気を収容室内に吐出すると共に、この収容室内を経て吸込口から吸い込まれた空気を蒸発器と熱交換させるようにしたので、蒸発器にて乾燥用の空気と熱交換して得られた熱を放熱器に搬送し、この熱を利用して乾燥用の空気を加熱することができるようになり、電気エネルギー等のエネルギーコストを削減して、より効率の良い乾燥運転を実現することができるようになる。
【発明を実施するための最良の形態】
【００２１】
本発明は、乾燥用の空気が被洗濯物に接触せず迂回して吸込口に吸い込まれてしまうのを阻止して、被洗濯物の乾燥効率を向上させることを最も主な特徴とする。被洗濯物の乾燥効率を向上させるという目的を、乾燥用の空気が被洗濯物を迂回してしまうのを阻止することで実現した。
【実施例１】
【００２２】
次に、図面に基づき本発明の実施の形態を詳述する。図１は本発明の一実施例を示す洗濯乾燥機Ｗ（側面と背面の外郭を不図示）の前面斜視図、図２は同図１の洗濯乾燥機Ｗ（側面と背面の外郭を不図示）の背面斜視図、図３は本発明の一実施例を示す洗濯乾燥機Ｗの内部機構部の斜視図をそれぞれ示している。洗濯乾燥機Ｗは、図１、図２に示すように衣類等の被洗濯物を洗濯、乾燥するために使用するもので、外郭を形成する本体１の側面上方には被洗濯物を出し入れするために開閉するための開閉扉（不図示）が取り付けられると共に、本体１の開閉扉の上方には各種の操作スイッチや表示部が配設された操作パネル４が設けられている。
【００２３】
本体１内には、貯水可能な円筒形状樹脂製の外槽ドラム２が設けられており、この外槽ドラム２は、回転軸（不図示）の長手方向を傾斜（後述する取出口６側を基準にして駆動モータＭ側を下方に傾斜）して配設されている。該外槽ドラム２の直径方向両側、長手方向略中心には振動の吸収を行う一対のダンパー３が設けられており、このダンパー３は本体１底板に固定されて、外槽ドラム２を弾性支持して振動や騒音を低減させる。そして、この外槽ドラム２の内側には洗濯槽と脱水槽を兼ねる略円筒形状ステンレス製の内槽ドラム５が配設されており、外槽ドラム２と内槽ドラム５との間は所定の隙間からなる空間（以降領域３０と称す）を有している。
【００２４】
該内槽ドラム５は、これもまた回転軸（不図示）の長手方向を外槽ドラム２と同一に傾斜して配設されている。そして、この回転軸が、本体１に装着された駆動モータＭの回転軸８に連結され、当該回転軸８を中心として外槽ドラム２内で回転可能に保持され、該内槽ドラム５の内側空間に、被洗濯物が収容される収容室１０を構成している。前記領域３０の取出口６側（図中左側）には、当該領域３０を外部と区画するためのラビリンスシール（第１のラビリンスシール４０）が、内槽ドラム５（外槽ドラム２）の周方向（半径方向）に環状に形成されている。尚、ラビリンスシールには、第１のラビリンスシール４０と第２のラビリンスシール４２とがあり、ラビリンスシールについては後に詳しく説明する。
【００２５】
そして、第１のラビリンスシール４０と所定の間隔を存して、駆動モータＭ側に後述する第２のラビリンスシール４２が配設されている。該第１のラビリンスシール４０は、収容室１０の取出口６側に設けられ、この第１のラビリンスシール４０によって、収容室１０内に吐出された乾燥用の空気が外部に漏れだしてしまうのを防止している。尚、第２のラビリンスシール４２については後に詳しく説明する。また、駆動モータＭは図１のみ図示し、第１のラビリンスシール４０は図２のみ図示している。
【００２６】
また、内槽ドラム５の長手方向一側（図中左側）には前記取出口６が形成（前記開閉扉に対応した位置に形成）され、他側（図中右側）には駆動モータＭが配置されると共に、取出口６周囲には支持部材９が配設されている。該内槽ドラム５の取出口６周囲は、この支持部材９に回転自在に支持されており、この支持部材９近傍には後述する空気循環経路５０の、乾燥用の空気の吸込口５２が形成されている。また、内槽ドラム５の長手方向側面周囲、及び、底面（取出口６の反対側の面）には空気及び水が流通可能な複数の透孔７が形成されている。この透孔７は、洗濯運転においては水が流出すると共に、乾燥運転においては乾燥用の空気が流通するための孔となる。尚、図番（透孔７）は、図２のみ図示している。
【００２７】
前述した駆動モータＭは、洗濯運転及び洗濯運転終了後の乾燥運転において、外槽ドラム２、及び、内槽ドラム５の回転軸と同一の傾斜方向の回転軸８を中心として内槽ドラム５を回転させるためのモータである。この駆動モータＭの回転軸８は、後述する図示しないコントローラによって、洗濯運転の脱水工程時には、内槽ドラム５を所定の高速で回転させると共に、乾燥運転時においては洗濯運転時に比して低速にて内槽ドラム５を回転制御する。
【００２８】
一方、前記本体１の外槽ドラム２上方には、図示しないが外槽ドラム２内に給水するための給水通路が設けられており、この給水通路の一端は給水バルブを介して水道水などの給水源に接続されている。この給水バルブの開閉は、前記コントローラにて制御される。また、給水通路の他端は、外槽ドラム２に接続されて内槽ドラム５の上方にて開口しており、コントローラにて給水バルブが開放されると、給水源から水（水道水）が外槽ドラム２内に供給されると共に、この水が内槽ドラム５の長手方向側面周囲に設けられた透孔７を介して収容室１０にも供給されるように構成されている。
【００２９】
また、外槽ドラム２の下部には、当該外槽ドラム２内（内槽ドラム５内も含む）の水を排出するための排水経路１２の一端が接続されている。この排水経路１２は、糸屑フィルタ１１の入口に接続されると共に、糸屑フィルタ１１の出口は洗濯乾燥機Ｗの外部に導出され、排水経路１２の他端は本体１外部に開口している。
【００３０】
他方、本体１内には、図３、図４に示すように外槽ドラム２の下方に機械室６０が配設されている。この機械室６０には、洗濯乾燥機Ｗの前側から後側に渡ってユニットケース６２が配設されており、このユニットケース６２は、第１のユニットケース６２Ａと、第２のユニットケース６２Ｂとから構成されており、第１のユニットケース６２Ａの一側には収容室１０内の空気を吸い込む吸込口５２、他側には収容室１０内に空気を吐出する吐出口５４を備えている。この第１のユニットケース６２内に、空気循環経路５０の一部が形成されている。
【００３１】
即ち、空気循環経路５０は、吸込口５２から糸屑を取り除く糸屑フィルタ５１、蒸発器２４、後述するファン５５及び放熱器２２を通り吐出口５４に至る空気経路（図２、図４点線矢印）を構成している。そして、吐出口５４は、外槽ドラム２の他側（駆動モータＭ側）に開口すると共に、吸込口５２は、外槽ドラム２の他端部側（取出口６側）に開口している。
【００３２】
該空気循環経路５０には、後述する冷媒回路を構成する放熱器２２（本発明の加熱手段に相当）及び蒸発器２４が設けられている。この蒸発器２４は、空気循環経路５０内の吸込口５２側に配置され、吸込口５２から吸い込んだ空気を冷却して水分を凝結するものである。また、放熱器２２は、空気循環経路５０の吐出口５４側に配設され、空気循環経路５０内を循環する乾燥用の空気を加熱するものである。尚、機械室６０の空気循環経路５０は図２、図４のみ図示している。
【００３３】
また、空気循環経路５０には、ファン５５が設けられており、このファン５５は空気循環経路５０に配設された蒸発器２４と放熱器２２との間に配設されている。該ファン５５は、乾燥運転において湿気のある空気を吸込口５２から吸い込み、蒸発器２４で水分を除去した乾燥用の空気を放熱器２２で加熱し、乾燥用の空気として空気循環経路５０の吐出口５４から収容室１０側の空気循環経路５０（内槽ドラム５内の収容室１０内）に吐出するための送風手段である。
【００３４】
前記冷媒回路は、ヒートポンプ（乾燥用の空気の熱源）を構成する圧縮機２１、放熱器２２、蒸発器２４などにて構成されており、圧縮機２１の出口側の冷媒吐出管２６は、空気循環経路５０の空気を加熱する放熱器２２の入口側に接続され、放熱器２２の出口側の配管２７は減圧装置としての膨張弁２３に接続されている。膨張弁２３の出口側の配管２８は、空気中水分の除去を行う蒸発器２４の入口側に接続され、蒸発器２４の出口側は冷媒導入管２５から圧縮機２１に戻る環状の冷媒回路を構成している。尚、ヒートポンプを、乾燥用の空気の熱源とする技術については、従来より周知の技術であるため、詳細な説明を省略する。
【００３５】
即ち、前記第１のユニットケース６２Ａは密閉されており、第２のユニットケース６２Ｂは外気に開放されている。そして、放熱器２２、ファン５５及び蒸発器２４は密閉された第１のユニットケース６２Ａ内に、圧縮機２１は外気に開放された第２のユニットケース６２Ｂ内に配設されている。この第２のユニットケース６２Ｂ内には、空気循環経路５０を形成していない。また、本実施例で使用する圧縮機２１は多段（２段）圧縮式のロータリコンプレッサであり、図示しない密閉容器内に電動要素と、この電動要素にて駆動される第１の回転圧縮要素（１段目）及び第２の回転圧縮要素（２段目）が設けられている。また、冷媒回路内には、冷媒として二酸化炭素（ＣＯ2）が所定量封入されている。
【００３６】
そして、冷媒導入管２５から導入された冷媒は、圧縮機２１の第１の回転圧縮要素で圧縮され、更に第２の回転圧縮要素で圧縮されて高温高圧となり、冷媒吐出管２６から圧縮機２１外に吐出される構成とされている。尚、本発明で使用可能な圧縮機２１は、実施例の多段圧縮式ロータリコンプレッサに限定されるものでなく、スクロール型、レシプロ型のコンプレッサなど、その他種々の圧縮機が適用可能である。また、冷媒回路内に封入する冷媒は二酸化炭素に限らず、他の既存冷媒を用いても差し支えない。
【００３７】
また、前記収容室１０側では、空気循環経路５０内の空気が吐出口５４を出て収容室１０（内槽ドラム５）内に入り、内槽ドラム５周囲に複数形成された透孔７を通過して、内槽ドラム５と外槽ドラム２との領域３０に入る。そして、そこから吸込口５２に吸い込まれる空気循環経路５０の一部を構成している。
【００３８】
係る洗濯乾燥機Ｗは、乾燥運転において収容室１０内の空気を、ファン５５によって空気循環経路５０内に循環させることにより、放熱器２２で加熱された空気で被洗濯物に含まれる水分を蒸発させて、湿気を含んだ空気を吸込口５２から吸い込む。吸込口５２から吸い込まれた空気は、蒸発器２４を通過する過程で冷媒と熱交換して冷却されることにより空気中の水分が凝結除去され、乾燥された空気となって放熱器２２に至る。そして、乾燥した空気は、放熱器２２を通過する過程で冷媒と熱交換して加熱された後、吐出口５４から内槽ドラム５内の収容室１０に吐出される。加熱され乾燥した空気は収容室１０内を循環して、被洗濯物から湿気を吸収（被洗濯物の乾燥）し、湿気を含んだ空気は再び吸込口５２から空気循環経路５０内に吸い込まれる構成とされている。
【００３９】
尚、本実施例の洗濯乾燥機Ｗは、前述したコントローラにより運転制御が行われる。このコントローラは、洗濯乾燥機Ｗの制御を司る制御手段であり、図示しないが駆動モータＭの運転、給水通路の給水バルブの開閉、排水経路１２の排水バルブの開閉、圧縮機２１の運転、膨張弁２３の絞り量制御、ファン５５の風量など制御を行う。更に、コントローラは、収容室１０内に収容された被洗濯物が変色及び損傷しないように放熱器２２で加熱された空気温度（被洗濯物の乾燥用の空気温度）などの制御も行う。
【００４０】
ここで、従来では、収容室１０に吐出された乾燥用の加熱空気は、吐出口５４から収容室１０内に吐出されて被洗濯物を乾燥させると共に、一部の加熱空気は、内槽ドラム５に複数形成された透孔７から内槽ドラム５と外槽ドラム２との領域３０に出て、吸込口５２に吸い込まれてしまう空気循環経路５０が形成されていた。即ち、収容室１０に吐出された乾燥用の空気が被洗濯物を迂回（収容室１０内を迂回）して吸込口５２から吸い込まれてしまっていた。詳しくは、乾燥用の空気が内槽ドラム５内から複数の透孔７を通過して内槽ドラム５と外槽ドラム２間に出て吸込口５２から吸い込まれてしまう。このため、被洗濯物の乾燥時間が長時間となって乾燥用エネルギーが増大すると共に乾燥運転効率が低下して、被洗濯物の乾燥コストが高騰していた。そこで、本発明では、収容室１０に吐出された乾燥用の空気が被洗濯物を迂回してしまうのを防止している。
【００４１】
係る内槽ドラム５と外槽ドラム２間の領域３０は、図５に示すように単位面積に対する開口率の大きい領域と、小さい領域とに区分けするラビリンスシール（第２のラビリンスシール４２）を設けている。この区分けした領域３０の一方を、単位面積に対する開口率の大きい領域（一方の領域３２）、他方を、単位面積に対する開口率の小さい領域（他方の領域３４）としている。該第２のラビリンスシール４２は、例えばゴム製の凸シール材と凹シール材とを対向して迷路状（クランク状）に組み合わせて内槽ドラム５と外槽ドラム２間の領域３０に設けることにより、内槽ドラム５の回転を確保しながら、後述する両ドラム間の領域３０における空気の流通を実質的に遮断するものである。前記第１のラビリンスシール４０も、第２のラビリンスシール４２同様に構成されている。
【００４２】
係る領域３０は、第２のラビリンスシール４２にて分割され、一側（取出口６側）には一方の領域３２、他側（駆動モータＭ側）には他方の領域３４を形成している。詳しくは、第２のラビリンスシール４２は、吸込口５２に対応する位置の両ドラム２、５間に形成された一側の領域３０（一方の領域３２）と、他側（駆動モータＭ側）の領域３０（他方の領域３４）との、空気の流通を遮断する。即ち、第２のラビリンスシール４２によって、乾燥用の空気が被洗濯物を迂回（収容室１０を迂回）してしまうのを防止している。以降、一側の領域３０を一方の領域３２、他側の領域３０を他方の領域３４と称す。
【００４３】
係る、一方の領域３２と他方の領域３４は、内槽ドラム５の回転軸の長手方向に、例えば約１：４の割合で第２のラビリンスシール４２で分割して仕切ることにより形成している。そして、第２のラビリンスシール４２によって、内槽ドラム５と外槽ドラム２間の領域３０は、一方の領域３２から他方の領域３４、他方の領域３４から一方の領域３２へ空気が通過してしまうのを阻止している。尚、この場合、第１のラビリンスシール４０と第２のラビリンスシール４２間に一方の領域３２を形成している。
【００４４】
そして、一方の領域３２には、図６に示すように、外槽ドラム２に空気循環経路５０の吸込口５２が開口し、この空気循環経路５０の下端は前記機械室６０内に設けられた蒸発器２４の上流側に開口している。また、他方の領域３４には、図７に示すように、内槽ドラム５近傍に空気循環経路５０の吐出口５４が開口し、この空気循環経路５０の下端は前記機械室６０内に設けられた放熱器２２の下流側に開口している。
【００４５】
また、内槽ドラム５の周囲に設けた複数の透孔７は、それぞれ両領域３２、３４の開口率を変えている。即ち、他方の領域３４には従来同様洗濯運転においては水が流出し、乾燥運転においては乾燥用の空気が流通する透孔７Ａと透孔７Ｂとからなる複数の透孔７が所定の間隔を存して形成されている。そして、透孔７Ａは一方の領域３２側、透孔７Ｂは他方の領域３４側に形成されており、内槽ドラム５の他側に形成された透孔７Ｂは、従来同様の単位面積に対する開口率で形成され、内槽ドラム５の一側の透孔７Ａは、他側の透孔７Ｂよりも単位面積に対する開口率を高くしている。勿論、この透孔７Ｂも、洗濯運転においては水が流出し、乾燥運転においては乾燥用の空気が流通するものである。
【００４６】
具体的に、透孔７Ｂの単位面積に対する開口率を例えば１００とした場合、透孔７Ａの孔径を大きくして開口率を１６０としている。即ち、内槽ドラム５の他側に形成した透孔７Ｂの孔径よりも、内槽ドラム５の一側に形成した透孔７Ａの孔径を大きく形成している。但し、単位面積に対して各透孔７Ｂの開口率に対する各透孔７Ａの開口率を１６０とした場合に、内槽ドラム５は洗濯運転及び乾燥運転、その他取り扱いなどで容易に変形しない強度とされている。また、両領域３２、３４には、それぞれ排水経路１２が設けられている。尚、両領域３２、３４に設けた排水経路１２については後に詳しく説明する。
【００４７】
次に、このように構成された洗濯乾燥機Ｗの乾燥動作を説明する。尚、洗濯乾燥機Ｗの運転には、洗濯運転と乾燥運転とがあり、洗濯運転には被洗濯物の汚れを洗剤にて洗い落とす「洗濯工程」、洗濯した被洗濯物から洗剤を洗い流す「すすぎ工程」、すすいだ後に被洗濯物の脱水を行う「脱水工程」があるが、これらの「洗濯工程」、「すすぎ工程」、「脱水工程」は従来と同様のため詳細な説明を省略し、以下本発明の趣旨である乾燥運転のみ説明を行う。また、圧縮機２１が運転され、放熱器２２は高温高圧の冷媒ガスによって所定の温度に加熱されているものとする。被洗濯物の乾燥運転は、放熱器２２にて加熱され、高温となった空気循環経路５０内の、乾燥用の空気は図８に示すように吐出口５４から内槽ドラム５の収容室１０に吐出される。
【００４８】
該収容室１０に吐出された乾燥用の空気は、内槽ドラム５の回転により収容室１０内で上下に撹拌される被洗濯物（被乾燥物）の隙間を通過するとき、被洗濯物と接触することにより暖めて湿気を蒸発させ、被洗濯物を乾燥させる。この場合、被洗濯物を乾燥させて湿気を含んだ空気は、内槽ドラム５内（収容室１０内）に形成された複数の透孔７（７Ａ、７Ｂ）から領域３０内に出ることになるが、領域３０内は第２のラビリンスシール４２にて区画され、一側に一方の領域３２、他側に他方の領域３４が形成されている。そして、両領域３２、３４間を乾燥用の空気が通過してしまうのを第２のラビリンスシール４２にて阻止し、これによって、収容室１０に吐出された乾燥用の空気が、透孔７Ｂから他方の領域３４内に入り、そこから一方の領域３２内に通過して、吸込口５２から吸い込まれないように構成している。
【００４９】
即ち、収容室１０に吐出された乾燥用の空気（循環空気）は、当該収容室１０を吐出口５４側から取出口６側（一方の領域３２側）に流れる過程で、上下に撹拌される被洗濯物の隙間だけを通過する。これにより、乾燥用の空気が確実に被洗濯物と接触して、被洗濯物を暖めて水分を蒸発させ、被洗濯物を乾燥させる。この場合、収容室１０内に吐出された乾燥用の空気が、内槽ドラム５に形成した透孔７Ｂから他方の領域３４内に入った場合でも、第２のラビリンスシール４２を設けているので、一方の領域３２内へ流入することがない。
【００５０】
そして、被洗濯物を乾燥させた空気（湿気を含んだ空気）は、複数の透孔７Ａを通過して吸込口５２を有する一方の領域３２内に流入する（収容室１０の外に出る）。一方の領域３２に流入した湿気を含んだ空気は、吸込口５２から吸い込まれて空気循環経路５０内に流入し、糸屑フィルタ５１にて糸屑などのゴミが取り除かれた後、蒸発器２４を通過する過程で、蒸発器２４を流れる冷媒と熱交換し、冷媒に熱を奪われる。このとき、空気中の水分が蒸発器２４の表面に凝結する。これにより、被洗濯物を乾燥させて湿気を含んだ乾燥用の空気から水分は凝結除去され、再び乾燥した空気とすることができる。尚、蒸発器２４の表面にて凝結した水分は、その後、水滴となって蒸発器２４の下部に設けられた排水経路１２から外部に排出される。
【００５１】
そして、蒸発器２４で湿気が取り除かれて乾燥した空気は、ファン５５に吸い込まれ、ファン５５の下流側に設けられた放熱器２２に向かって吐出され、再度放熱器２２にて加熱された後、吐出口５４から収容室１０に吐出され、収容室１０内で上下に撹拌される被洗濯物から湿気を奪って乾燥させるサイクルを繰り返す。尚、乾燥工程において冷媒回路の動作、及び、冷媒の流れは前述した通りである。
【００５２】
このように、吸込口５２が位置する両ドラム２、５間の領域３２を、他の両ドラム２、５間の領域３４から区画するための第２のラビリンスシール４２を設けている。これにより、吐出口５４から内槽ドラム５内に吐出された乾燥用の空気は、内槽ドラム５内を他側から一側に流通するので、乾燥用の空気を吸込口５２が位置する両ドラム２、５間の一方の領域３２に対応する部分の各透孔７Ａからのみ吸い込ませることができる。即ち、領域３０内に第２のラビリンスシール４２を設けて、一方の領域３２と他方の領域３４間を仕切っているので、吐出口５４から内槽ドラム５内に吐出された乾燥用の空気を、各透孔７Ａからのみ吸い込ませることができる。
【００５３】
これにより、乾燥用の空気が被洗濯物を迂回してしまうのを確実に阻止することができるので、収容室１０内に吐出された乾燥用の空気全てと上下に撹拌される被洗濯物とを効果的に接触させることができ、被洗濯物の乾燥率を大幅に向上させることができる。また、吐出口５４から吐出された乾燥用の空気全てを、確実に収容室１０に収容された被洗濯物の乾燥に利用することができるようになるので、被洗濯物と乾燥用の空気とを効果的に接触させることが可能となる。従って、吐出口５４から吐出されたものの、被洗濯物の上方、或いは、両ドラム２、５間の領域３０を通過して、当該被洗濯物を迂回してそのまま吸込口５２から吸い込まれてしまう、乾燥用の空気の量を削減することが可能となる。また、被洗濯物から効率よく水分を蒸発させることができるので、被洗濯物の乾燥効率を大幅に促進し、乾燥時間の短縮を図ることができる。
【００５４】
また、従来のように、乾燥用の空気が被洗濯物に触れずに迂回してしまうのを阻止することができるので、収容室１０に吐出される、乾燥用の空気の風量を増大したり、乾燥用の空気の温度を上昇させることなく、洗濯物の乾燥効率を大幅に向上させることができる。これにより、乾燥時間を大幅に短縮することができるので、更に消費電力量の低減を図ることが可能となる。
【００５５】
また、一方の領域３２部分に対応する、内槽ドラム５に形成した透孔７Ａの単位面積に対する開口率を、他方の領域３４部分に対応する、内槽ドラム５に形成した透孔７Ｂの単位面積よりも高くしている。これにより、被洗濯物を迂回してしまう乾燥用の空気を、より一層削減し、より効率的な乾燥運転を実現することができる。
【００５６】
また、圧縮機２１、放熱器２２、膨張弁２３及び蒸発器２４が順次環状に配管接続されて成る冷媒回路を備え、放熱器２２により放熱器２２を構成し、洗濯乾燥機Ｗの乾燥運転において放熱器２２と熱交換した乾燥用の空気を収容室１０内に吐出すると共に、この収容室１０内を経て吸込口５２から吸い込まれた空気を蒸発器２４と熱交換させるようにしているので、蒸発器２４にて乾燥用の空気と熱交換して得られた熱を放熱器２２に搬送し、この熱を利用して乾燥用の空気を加熱することができるようになるので、電気エネルギー等のエネルギーコストを削減して、より効率の良い乾燥運転を実現することが可能となる。
【実施例２】
【００５７】
次に、図９には本発明の一実施例を示す洗濯乾燥機Ｗを構成する内槽ドラム５部分の背面側の斜視図を示している。該洗濯乾燥機Ｗは、前述の実施形態と略同じ構成を有している。以下、異なる部分について説明する。尚、前述の実施の形態と同じ部分にはこれと同じ符号を付し、説明を省略する。即ち、洗濯乾燥機Ｗは、図９に示すように、実施例１で設けていた、第１のラビリンスシール４０及び第２のラビリンスシール４２を設けていない。
【００５８】
また、単位面積に対する一方の領域３２部分に形成した透孔７Ａ（内槽ドラム５に形成した透孔７Ａ）の開口率を、他方の領域３４部分に形成した透孔７Ｂ（内槽ドラム５に形成した透孔７Ｂ）の開口率よりも高くしている。また、実施例１同様内槽ドラム５の回転軸の長手方向に分割した一方の領域３２と他方の領域３４とを、例えば約１：４の割合で第２のラビリンスシール４２にて仕切り、一方の領域３２側に透孔７Ａ、他方の領域３４側に透孔７Ｂを設けている。尚、第１のラビリンスシール４０は、設けても差し支えない。
【００５９】
このように、内槽ドラム５に形成した一方の領域３２部分における透孔７Ａの単位面積に対する開口率を、内槽ドラム５に形成した他方の領域３４部分における透孔７Ｂの単位面積に対する開口率よりも高くしたので、吐出口５４から内槽ドラム５内に吐出された乾燥用の空気は、他方の領域３４部分の透孔７Ｂよりも、一方の領域３２部分に形成された透孔７Ａの方が吸い込まれ易くなる。これにより、今まで被洗濯物を迂回していた乾燥用の空気を、被洗濯物を乾燥する空気として利用することが可能となり、より効率的な乾燥運転を実現することができる。また、実施例１のように第１のラビリンスシール４０、及び、第２のラビリンスシール４２を設けていないので、洗濯乾燥機Ｗのコストアップも防止し、コストの低減を図ることが可能となる。
【実施例３】
【００６０】
次に、図１０には本発明の一実施例を示す洗濯乾燥機Ｗを構成する内槽ドラム５部分の背面側の斜視図を示している。該洗濯乾燥機Ｗは、前述の実施例１と略同じ構成を有している。以下、異なる部分について説明する。尚、前述の実施の形態と同じ部分にはこれと同じ符号を付し、説明を省略する。即ち、前述の第２のラビリンスシール４２が設けられた外槽ドラム２（実施例１の外槽ドラム２）には、図１０に示すように両領域３２、３４に対応して、それぞれ排水経路１２（１２Ａ、１２Ｂ）を設けている。即ち、一方の領域３２部分に第１の排水経路１２Ａ、他方の領域３４部分に第２の排水経路１２Ｂを設けている。
【００６１】
該第１の排水経路１２Ａは、外槽ドラム２の最も低い位置（実施例では駆動モータＭ側：図中右側）の一方の領域３２内に連通して設けられると共に、第２の排水経路１２Ｂは外槽ドラム２の最も低い位置（実施例では駆動モータＭ側）の他方の領域３４内に連通して設けられている。これらの両排水経路１２Ａ、１２Ｂは途中で合流して他端は、前述した如き本体１外部に開口している。そして、洗濯乾燥機Ｗの洗濯運転の「洗濯工程」、「すすぎ工程」、「脱水工程」にて使用した水は、内槽ドラム５に設けた複数の透孔７（透孔７Ａ、透孔７Ｂ）から両領域３２、３４内に出て、両排水経路１２Ａ、１２Ｂ内を通り本体１外部の排水路などに排出される。
【００６２】
このように、洗濯運転時に水を排出する排水経路１２を、第２のラビリンスシール４２により区画される両ドラム２、５間の、両領域３２、３４内の双方に連通しているので、洗濯運転時には第２のラビリンスシール４２により区画される両ドラム２、５間の両領域３２、３４の双方から支障なく排水を行うことができる。これにより、両領域３２、３４内の水を残すことなく確実に排出することができるので、被洗濯物の乾燥運転時に両領域３２、３４間に空気が通過しなくても、洗濯運転終了時に、両領域３２、３４内に排水が残ってしまうなどといった不都合も防止できる。
【実施例４】
【００６３】
次に、図１１には本発明の一実施例を示す洗濯乾燥機Ｗを構成する内槽ドラム５部分の前面側の斜視図を示している。該洗濯乾燥機Ｗは、前述の実施例３と略同じ構成を有している。以下、異なる部分について説明する。尚、前述の実施の形態と同じ部分にはこれと同じ符号を付し、説明を省略する。即ち、実施例４では、実施例３で設けていた、第１のラビリンスシール４０を設けず、一方の領域３２と他方の領域３４間を前述同様第２のラビリンスシール４２にて仕切っている。
【００６４】
また、洗濯乾燥機Ｗは、図１１に示すように、内槽ドラム５に形成した一方の領域３２部分における透孔７Ａの単位面積に対する開口率を、内槽ドラム５に形成した他方の領域３４部分における透孔７Ｂの単位面積に対する開口率と同一に構成している。また、内槽ドラム５の取出口６側面の周囲には、内槽ドラム５に形成した他方の領域３４部分における透孔７Ｂの単位面積に対する開口率よりも高くした透孔７Ａを所定幅（円周方向）にて形成している。この場合、透孔７Ａの取出口６側は、当該透孔７Ａと所定の間隔を存して、蓋部材（不図示）にて閉塞されており、この蓋部材と透孔７Ａとの間及び一方の領域３２内は吸込口５２に連通している。尚、透孔７Ａの内側も蓋部材にて閉塞され、収容室１０内に吐出された乾燥用の空気は、透孔７Ａ及び一方の領域３２部分の透孔７Ｂから吸込口５２に吸い込まれるように構成されている。また、被洗濯物を出し入れするために開閉するための開閉扉で、蓋部材を兼ねても差し支えない。
【００６５】
そして、吐出口５４から収容室１０内に吐出された乾燥用の空気は、上下に撹拌される被洗濯物と接触して暖め、水分を蒸発させて被洗濯物を乾燥させる。そして、被洗濯物を乾燥させて湿気を含んだ乾燥用の空気は、透孔７Ａ（一方の領域３２側の透孔７Ａを含む）から出て吸込口５２に吸い込まれ、後は前述同様に空気循環経路５０内を循環する。尚、実施例３で設けていた、第１のラビリンスシール４０を設けていないが、第１のラビリンスシール４０は設けても、設けなくても差し支えない。
【００６６】
このように、吸込口５２に対応する部分（一方の領域３２部分）における内槽ドラム５の単位面積に対する透孔７Ａの開口率を、他の部分（他方の領域３４部分）の単位面積に対する透孔７Ｂの開口率とを同一に構成している場合でも、内槽ドラム５の取出口６側の面に、内槽ドラム５に形成した他方の領域３４部分における透孔７Ｂの単位面積に対する開口率よりも高くした透孔７Ａを形成し、内槽ドラム５と外槽ドラム２間の領域３０を第２のラビリンスシール４２にて仕切れば、吐出口５４から内槽ドラム５内に吐出された乾燥用の空気が、両領域３２、３４間を通過してしまうのを阻止することができる。これにより、収容室１０に吐出された乾燥用の空気が、被洗濯物に触れずに迂回してしまうなどといった不都合を確実に防止することができる。従って、内槽ドラム５を容易に製作することができ、洗濯乾燥機Ｗの生産性を大幅に向上させることができる。
【００６７】
尚、実施の形態では、内槽ドラム５に形成した一方の領域３２部分における透孔７Ａの単位面積に対する開口率を、内槽ドラム５に形成した他方の領域３４部分における透孔７Ｂの単位面積に対する開口率よりも高くするため、透孔７Ｂの孔径より、透孔７Ａの孔径を大きくしたが、単位面積に対する開口率を高くするためには透孔７Ａを大きくするだけに限らず、透孔７Ｂ同等孔径の各透孔７Ａ間の隙間に透孔７Ａと同一の孔径、透孔７Ａよりも小孔径、透孔７Ａよりも大孔径の透孔を設ける、或いは、各透孔７Ａ間の隙間を近接して設けるなどして、単位面積に対する一方の領域３２部分における透孔７Ａの開口率を高くしても差し支えない。
【００６８】
また、実施例１、３では第１のラビリンスシール４０と第２のラビリンスシール４２とを設けたが、実施例４のように、第１のラビリンスシール４０を設けなくても差し支えない。これにより生産性の向上、及び、コストの低減を図ることが可能となる。
【００６９】
また、実施例１、３、４では一方の領域３２側と他方の領域３４とを第２のラビリンスシール４２で約１：４の割合で仕切ると共に、実施例２では透孔７Ａと透孔７Ｂとを約１：４の割合で分けたが、一方の領域３２側と他方の領域３４、透孔７Ａと透孔７Ｂとの割合は実施例の割合に限られるものではない。
【００７０】
また、各実施例では、外槽ドラム２の取出口６側に吸込口５２、駆動モータＭ側に吐出口５４を設けた例を挙げたが、吸込口５２と吐出口５４の位置はこれに限らず、駆動モータＭ側に吸込口５２、取出口６側に吐出口５４を設けた洗濯乾燥機であっても本発明は有効である。また、実施例では、熱源をヒートポンプで説明したが、本案はこれに限らず電気ヒータと水を熱源とした方式に関しても有効である。勿論本発明は、上記各実施形態のみに限定されるものではなく、この発明の範囲を逸脱することなく他の様々な変更を行っても本発明は有効である。
【図面の簡単な説明】
【００７１】
【図１】本発明の一実施例を示す洗濯乾燥機（側面と背面の外郭を不図示）の前面側の斜視図である（実施例１）。
【図２】同図１の洗濯乾燥機（側面と背面の外郭を不図示）の背面側の斜視図である。
【図３】本発明の一実施例を示す洗濯乾燥機を構成する機械室の前面側の斜視図である。
【図４】本発明の一実施例を示す洗濯乾燥機を構成する機械室の背面側の斜視図である。
【図５】本発明の一実施例を示す洗濯乾燥機の内部機構部（機械室を含む）の前面側の斜視図である。
【図６】本発明の一実施例を示す洗濯乾燥機の内部機構部（機械室を除く）の前面側の斜視図である。
【図７】本発明の一実施例を示す洗濯乾燥機の内部機構部（機械室を除く）の背面側の斜視図である。
【図８】本発明の一実施例を示す洗濯乾燥機を構成する内槽ドラム部分の背面側の斜視図である。
【図９】本発明の一実施例を示す洗濯乾燥機を構成する内槽ドラム部分の背面側の斜視図である（実施例２）。
【図１０】本発明の一実施例を示す洗濯乾燥機を構成する内槽ドラム部分の背面側の斜視図である（実施例３）。
【図１１】本発明の一実施例を示す洗濯乾燥機を構成する内槽ドラム部分の前面側の斜視図である（実施例４）。
【図１２】従来の洗濯乾燥機を構成する内槽ドラム部分の背面側の斜視図である。
【図１３】従来の洗濯乾燥機を構成する内槽ドラム部分の背面側の斜視図である。
【符号の説明】
【００７２】
Ｗ  洗濯乾燥機
１  本体
２  外槽ドラム
４  操作パネル
５  内槽ドラム
６  取出口
７  透孔
７Ａ  透孔
７Ｂ  透孔
１０  収容室
１２  排水経路
１２Ａ  第１の排水経路
１２Ｂ  第２の排水経路
２１  圧縮機
２２  放熱器（加熱手段）
２４  蒸発器
３０  領域
３２  一方の領域
３４  他方の領域
４０  第１のラビリンスシール
４２  第２のラビリンスシール
５０  空気循環経路
５２  吸込口
５４  吐出口
６０  機械室
【図１】
2009142421.tif 000003
【図２】
2009142421.tif 000004
【図３】
2009142421.tif 000005
【図４】
2009142421.tif 000006
【図５】
2009142421.tif 000007
【図６】
2009142421.tif 000008
【図７】
2009142421.tif 000009
【図８】
2009142421.tif 000010
【図９】
2009142421.tif 000011
【図１０】
2009142421.tif 000012
【図１１】
2009142421.tif 000013
【図１２】
2009142421.tif 000014
【図１３】
2009142421.tif 000015